(57)【要約】【課題】現像剤担持体の表面電位を好適な状態に安定させることにより、液体現像剤の適正範囲から外れた帯電量に起因する画像不良の発生を防止することができ、高品質な画像が得られる現像動作を遂行することが可能な液体現像装置を提供する。【解決手段】液体現像装置５０は、感光体ドラム２１と現像ローラ５２との最接近位置の、現像ローラ回転方向上流側に設けられた現像剤帯電装置５７と、この現像剤帯電装置５７の、現像ローラ回転方向下流側、且つ感光体ドラム２１と現像ローラ５２との最接近位置の、現像ローラ回転方向上流側に設けられた電位測定装置５８と、この電位測定装置５８の測定電位が所定範囲になるように現像剤帯電装置５７を制御する制御装置５９とを備える。これにより、現像ローラ５２表面を所望の電位に安定させることが可能である。【選択図】図２
2009294490.tif 000002
【特許請求の範囲】
【請求項１】
像担持体表面に形成した静電潜像を、液体現像剤を用いて現像する現像剤担持体を備えた液体現像装置において、
前記像担持体と前記現像剤担持体との最接近位置の、現像剤担持体回転方向上流側に、現像剤担持体表面に対向して設けられ、現像剤担持体表面の液体現像剤を帯電させる現像剤帯電装置と、この現像剤帯電装置の、現像剤担持体回転方向下流側、且つ像担持体と現像剤担持体との最接近位置の、現像剤担持体回転方向上流側に、現像剤担持体表面に対向して設けられ、現像剤担持体表面の電位を測定する電位測定装置と、この電位測定装置の測定電位が所定範囲になるように現像剤帯電装置を制御する制御装置とを備えることを特徴とする液体現像装置
【請求項２】
請求項１に記載の液体現像装置を搭載したことを特徴とする画像形成装置。
【発明の詳細な説明】
【技術分野】
【０００１】
本発明は、複写機やプリンタに代表される画像形成装置に適用可能な液体現像装置に関する。また、この液体現像装置を搭載した画像形成装置に関する。
【背景技術】
【０００２】
複写機やプリンタ等の電子写真方式の画像形成装置においては、像担持体として感光体ドラムが広く用いられている。感光体ドラムを用いた一般的な画像形成動作は以下のようである。感光体ドラムの表面は帯電装置により所定電位に一様に帯電せしめられ、そこに露光装置からＬＥＤ光等を照射することにより部分的に電位が光減衰して原稿画像の静電潜像が形成される。この静電潜像を現像装置で現像することにより、感光体ドラム表面にトナー像が形成される。そして、このトナー像は、感光体ドラムと転写部材とを接触、或いは近接させて構成した転写領域において、転写媒体に転写される。
【０００３】
静電潜像を現像する方法としては、乾式現像方式と、湿式現像方式とが存在する。このうち湿式現像方式では、液体現像剤が使用される。液体現像剤は、絶縁性液体、すなわち電気的に中性の溶媒であるキャリア液に、トナー粒子が高濃度で分散するように調整されている。そして、湿式画像形成装置は、液体現像装置を搭載しており、感光体ドラム上に形成された静電潜像を、液体現像装置の現像剤担持体である現像ローラから供給する液体現像剤によって現像する。
【０００４】
このような液体現像剤を用いた画像形成装置において、高品質な画像が得られる好適な現像動作を遂行するためには、現像ローラ表面のトナーの帯電量が非常に重要である。トナーの帯電量は、温度や湿度などの環境の影響を受け易い。そして、トナーの帯電量が適正範囲から外れると、濃度むらや、粉を撒いたような斑点状の模様になるチリなどといった画像不良が発生する可能性が高くなる。その結果、画像品質の著しい低下を招く恐れがある。したがって、感光体ドラム上の静電潜像に供給して現像する直前の、現像ローラ表面の電位を知ることが有効である。液体現像剤を用いて、このように現像直前の現像ローラ表面の電位を測定する装置の例を、特許文献１に見ることができる。特許文献１に記載された現像剤測定装置は、現像ローラの表面電位を検知する表面電位センサを備えている。
【特許文献１】特開２００５−４９４９４号公報（第９頁、図２）
【発明の開示】
【発明が解決しようとする課題】
【０００５】
特許文献１に記載された現像剤測定装置のように、現像直前の現像ローラ表面のトナー電位を測定することは、好適な現像動作を遂行するために重要である。しかしながら、トナー電位を測定するだけでは満足とは言えず、その測定データに基づいて、現像ローラ表面を所望の電位に制御し、そして安定させる必要がある。これにより、濃度むらやチリなどといった画像不良の発生を防止することが可能であり、高品質な画像が得られる好適な現像動作を遂行することができる。
【０００６】
本発明は、上記の点に鑑みてなされたものであり、像担持体表面に形成した静電潜像を液体現像剤で現像する液体現像装置において、現像剤担持体の表面電位を好適な状態に安定させることにより、液体現像剤の適正範囲から外れた帯電量に起因する画像不良の発生を防止することができ、高品質な画像が得られる現像動作を遂行することが可能な液体現像装置を提供することを目的とする。また、このような液体現像装置を搭載した高性能な画像形成装置を提供することを目的とする。
【課題を解決するための手段】
【０００７】
上記の課題を解決するため、本発明は、像担持体表面に形成した静電潜像を、液体現像剤を用いて現像する現像剤担持体を備えた液体現像装置において、前記像担持体と前記現像剤担持体との最接近位置の、現像剤担持体回転方向上流側に、現像剤担持体表面に対向して設けられ、現像剤担持体表面の液体現像剤を帯電させる現像剤帯電装置と、この現像剤帯電装置の、現像剤担持体回転方向下流側、且つ像担持体と現像剤担持体との最接近位置の、現像剤担持体回転方向上流側に、現像剤担持体表面に対向して設けられ、現像剤担持体表面の電位を測定する電位測定装置と、この電位測定装置の測定電位が所定範囲になるように現像剤帯電装置を制御する制御装置とを備えることとした。
【０００８】
また本発明では、上記液体現像装置を画像形成装置に搭載することとした。
【発明の効果】
【０００９】
本発明の構成によれば、像担持体表面に形成した静電潜像を、液体現像剤を用いて現像する現像剤担持体を備えた液体現像装置において、前記像担持体と前記現像剤担持体との最接近位置の、現像剤担持体回転方向上流側に、現像剤担持体表面に対向して設けられ、現像剤担持体表面の液体現像剤を帯電させる現像剤帯電装置と、この現像剤帯電装置の、現像剤担持体回転方向下流側、且つ像担持体と現像剤担持体との最接近位置の、現像剤担持体回転方向上流側に、現像剤担持体表面に対向して設けられ、現像剤担持体表面の電位を測定する電位測定装置と、この電位測定装置の測定電位が所定範囲になるように現像剤帯電装置を制御する制御装置とを備えることとしたので、現像剤担持体表面を所望の電位に安定させることが可能である。したがって、濃度むらやチリなどといった液体現像剤の適正範囲から外れた帯電量に起因する画像不良の発生を防止することができる。このようにして、高品質な画像が得られる現像動作を遂行することが可能な液体現像装置を提供することができる。
【００１０】
また本発明では、上記液体現像装置を画像形成装置に搭載することとしたので、現像剤担持体表面の電位を好適な状態に安定させることにより、液体現像剤の適正範囲から外れた帯電量に起因する画像不良の発生を防止することができ、高品質な画像が得られる現像動作を遂行することが可能な高性能な画像形成装置を得ることができる。
【発明を実施するための最良の形態】
【００１１】
以下、本発明の実施形態を図１〜図４に基づき説明する。
【００１２】
最初に、本発明の実施形態に係る液体現像装置を搭載した画像形成装置について、図１を用いてその構造の概略を説明しつつ、画像形成動作の概略を説明する。図１は、画像形成装置の模型的垂直断面正面図である。この画像形成装置は、中間転写ベルトを用いてトナー像を用紙に転写するカラー印刷タイプのものである。
【００１３】
図１に示すように、画像形成装置１の本体２の内部下方には、給紙カセット３が配置されている。給紙カセット３は、その内部に、印刷前のカットペーパーなどの用紙Ｐを積載して収容している。そして、この用紙Ｐは、図１において給紙カセット３の左上方に向けて、１枚ずつ分離されて送り出される。給紙カセット３は、本体２の前面側から水平に引き出すことが可能である。
【００１４】
本体２の内部であって、給紙カセット３の左方には、用紙搬送部４が備えられている。用紙搬送部４は、本体２の左側面に沿って略垂直に形設されている。そして、用紙搬送部４は、給紙カセット３から送り出された用紙Ｐを受け取り、本体２の左側面に沿って垂直上方に二次転写部４０まで搬送する。
【００１５】
給紙カセット３上方であって、本体２の上下方向略中央部には計４箇所の画像形成部２０が、さらにそれら各画像形成部２０の上方には中間転写体を無端ベルトの形で用いた中間転写ベルト５が備えられている。中間転写ベルト５は、複数のローラに巻き掛けられて支持され、図示しない駆動装置により図１において時計方向に回転する。
【００１６】
４箇所の画像形成部２０は、図１に示すように、中間転写ベルト５の回転方向に沿って、回転方向上流側から下流側に向けて一列にして配置された所謂タンデム方式である。４箇所の画像形成部２０とは、上流側から順に、シアン用の画像形成部２０Ｃ、マゼンタ用の画像形成部２０Ｍ、イエロー用の画像形成部２０Ｙ、及びブラック用の画像形成部２０Ｂである。
【００１７】
これらの画像形成部２０は、絶縁性液体中にトナー粒子を分散させた液体現像剤を用いてトナー像を形成するものであり、液体現像剤補給装置（図示せず）によって各色に対応した現像剤がそれぞれの画像形成部２０に補給される。そして、画像形成部２０では、外部コンピュータ（図示せず）から受信した文字や図形、模様などの画像データに基づいて静電潜像が形成され、この静電潜像が液体現像剤を用いて現像される。なお、以下の説明において、特に限定する必要がある場合を除き、「Ｃ」「Ｍ」「Ｙ」「Ｂ」の識別記号は省略するものとする。
【００１８】
各画像形成部２０の上方には、中間転写ベルト５を隔てて、一次転写ローラ３１が設けられた一次転写部３０が備えられている。一次転写ローラ３１は、中間転写ベルト５を介して画像形成部２０の後述する感光体ドラム２１に圧接して一次転写ニップ部を形成している。この一次転写ニップ部において、画像形成部２０で形成されたトナー像が中間転写ベルト５表面に一次転写される。そして、中間転写ベルト５の回転とともに所定のタイミングで各画像形成部２０のトナー像が中間転写ベルト５に順次転写されることにより、中間転写ベルト５表面にはシアン、マゼンタ、イエロー、ブラックの４色のトナー像が重ね合わされたフルカラートナー像が形成される。
【００１９】
中間転写ベルト５が用紙搬送路に懸かる箇所には、二次転写ローラ４１を備えた二次転写部４０が配置されている。中間転写ベルト５表面の一旦担持されたカラートナー像は、用紙搬送部４によって同期をとって送られてきた用紙Ｐに、中間転写ベルト５と二次転写ローラ４１とが圧接して形成される二次転写ニップ部にて転写される。
【００２０】
二次転写後、中間転写ベルト５表面に残留するトナーなどの付着物は、中間転写ベルト５に対してシアン用の画像形成部２０Ｃの回転方向上流側に設けられた中間転写ベルト５用のクリーニング装置６によってクリーニング、回収される。
【００２１】
一方、二次転写部４０の上方には、定着部７が備えられている。二次転写部４０にて未定着トナー像を担持した用紙Ｐは、定着部７へと送られ、熱ローラと加圧ローラとによりトナー像が加熱、加圧されて定着される。
【００２２】
定着部７から排出された用紙Ｐは、本体２の上面に備えられた用紙排出部８に排出される。用紙排出部８は、本体２の上面に、印刷済みの用紙Ｐを外部から取り出し可能な位置に設けられている。
【００２３】
続いて、画像形成装置１の画像形成部２０周辺の詳細な構成について、図２を用いて説明する。図２は、画像形成部周辺を示す垂直断面部分拡大図である。なお、４色の各画像形成部２０は構造が共通するので、前述のように「Ｃ」「Ｍ」「Ｙ」「Ｂ」の識別記号は省略するものとする。また、図２中の破線矢印は、各回転部材の回転方向を示す。
【００２４】
図２に示すように、画像形成部２０には、その中心に像担持体である感光体ドラム２１が備えられている。そして、感光体ドラム２１の近傍には、その回転方向に沿って順に、感光体帯電装置２２、露光装置２３、液体現像装置５０、ドラム用のクリーニング装置７０、及び除電装置２４が配置されている。一次転写部３０は、感光体ドラム２１の回転方向に沿って、液体現像装置５０とドラム用クリーニング装置７０との間に設けられている。
【００２５】
感光体ドラム２１は、画像形成装置１内の用紙搬送方向と直角をなす用紙幅方向、すなわち図２の紙面奥行き方向に延び、その軸線方向を水平にして配置されている。感光体ドラム２１は、アルミニウム等により構成される導電性ローラ状基体の外側に、アモルファスシリコンの感光層を設けた無機感光体のドラムで、直径が３０ｍｍである。感光体ドラム２１は、図示しない駆動装置によって、その周速度が用紙搬送速度（例えば２１０ｍｍ／ｓｅｃ）とほぼ同じになるように回転せしめられている。
【００２６】
感光体帯電装置２２は、コロナ放電帯電器を用いたスコロトロン帯電装置である。なお、同じくコロナ放電帯電器を用いたコロトロン帯電装置であっても構わない。この感光体帯電装置２２により、感光体ドラム２１の表面が所定の極性及び電位に一様に帯電せしめられる。
【００２７】
露光装置２３は、感光体ドラム２１の回転方向に沿って、感光体帯電装置２２の下流側に配置されている。露光装置２３は、感光体帯電装置２２によってその表面が一様に帯電された感光体ドラム２１に対して、外部コンピュータから受信した画像データに基づいて光を照射することにより、照射部分の電位を光減衰させて原稿画像の静電潜像を形成する。露光装置２３としては、ＬＰＨ（ＬＥＤ  ＰＲＩＮＴ  ＨＥＡＤ）や、ＬＳＵ（レーザスキャニングユニット）などを用いることができる。
【００２８】
液体現像装置５０は、前述のように、絶縁性液体中にトナーを分散させた液体現像剤を用いてトナー像を形成するものである。液体現像装置５０には、そのハウジング５１の内部であって感光体ドラム２１の近傍に、現像剤担持体である現像ローラ５２が設けられている。現像ローラ５２には、感光体ドラム２１の帯電極性と同極性の現像バイアスが印加される。この現像ローラ５２に印加した現像バイアスと感光ドラム２１の静電潜像の電位との差により、トナーが、その帯電が光減衰した感光体ドラム２１表面に移動することで、静電潜像が現像される。なお、この液体現像装置５０の詳細な構成については後述する。
【００２９】
一次転写部３０には、中間転写ベルト５を介して感光体ドラム２１に接触する一次転写ローラ３１が設けられている。一次転写ローラ３１は、駆動装置を有することなく、中間転写ベルト５に接触することによって、中間転写ベルト５の回転に従って回転する。また、一次転写ローラ３１には、必要に応じて、感光体ドラム２１やトナーの帯電極性とは異なる極性の一次転写バイアスが印加される。
【００３０】
ドラム用クリーニング装置７０は、そのハウジング７１の内部に、クリーニング部材であるクリーニングローラ７２、クリーニングブレード７３、及びトナー排出スクリュー７４を備えている。クリーニングローラ７２及びクリーニングブレード７３は、図示しない付勢手段により感光体ドラム２１に対して所定の力で押し付けられて設けられ、感光体ドラム２１表面のトナー像が中間転写ベルト５に一次転写された後、感光体ドラム２１表面に残留したトナーを除去してクリーニングする。感光体ドラム２１表面から除去されたトナーは、重力の作用や、クリーニングローラ７２の回転に従ってトナー排出スクリュー７４の方へと送られ、トナー排出スクリュー７４によりハウジング７１の外部へと搬送される。
【００３１】
除電装置２４は、感光体ドラム２１の回転方向に沿って、ドラム用クリーニング装置７０のさらに下流側に配置されている。除電装置２４は、発光部材であるＬＥＤ（発光ダイオード）を有し、ＬＥＤの発光による除電光を感光体ドラム２１に照射することにより、その表面の帯電電荷を除去し、次回の画像形成動作時における帯電工程のための準備を整える。ＬＥＤの代わりに、ＥＬ（エレクトロルミネッセンス）光源、蛍光灯などを用いることもできる。
【００３２】
続いて、本発明の液体現像装置５０の詳細な構成、及び現像動作について、図２を用いて説明する。
【００３３】
液体現像装置５０は、前述のように、絶縁性液体中にトナー粒子を分散させた液体現像剤Ｄを用いてトナー像を形成するものである。液体現像装置５０は、そのハウジング５１の内部に、現像剤担持体である現像ローラ５２、攪拌スクリュー５３、汲み上げローラ５４、供給ローラ５５、ドクタブレード５６、現像剤帯電装置５７、電位測定装置５８、制御装置５９、及びクリーニングブレード６０を備えている。
【００３４】
ここで、液体現像装置５０で使用される液体現像剤は、非極性の絶縁性液体であるキャリア液の中に、プラスに帯電する微細な樹脂からなるトナー粒子（粒径約１μｍ）を分散、混濁させたものである。静電潜像の現像に利用される、このような液体現像剤は、トナー液とキャリア液との２つの液体を混合して濃度調整することにより構成される。トナー液とは、現像に使用される液体現像剤よりトナー粒子の濃度を高めた液体である。キャリア液とは、シリコンオイル等からなる電気的中性の非極性の溶媒である。
【００３５】
液体現像剤Ｄは、液体現像剤補給装置（図示せず）によって補給され、ハウジング５１内の下部に貯留されている。そして、このハウジング５１内の下部に、攪拌スクリュー５３が、液体現像剤Ｄに浸かる形で２本配置されている。液体現像剤Ｄは、濃度を一様にして沈殿などを防止するため、攪拌スクリュー５３によって適宜攪拌、循環されている。
【００３６】
汲み上げローラ５４は、攪拌スクリュー５３の上方に設けられている。汲み上げローラ５４は、その一部が液体現像剤Ｄに浸かる形で配置されている。そして、汲み上げローラ５４は、ハウジング５１下部に貯留された液体現像剤Ｄを汲み上げ、その上方に配置された汲み上げローラ５４に当接する供給ローラ５５に受け渡す役目を果たす。
【００３７】
供給ローラ５５は、現像剤担持体である現像ローラ５２のすぐ下方に配置され、現像ローラ５２に接触するように設けられている。供給ローラ５５は、現像ローラ５２との接触箇所に対してその回転方向上流側に、ドクタブレード５６を接触させて備えている。このドクタブレード５６により、供給ローラ５５は、汲み上げローラ５４から受け取った液体現像剤Ｄを、その表面で均一な薄層にして現像ローラ５２に供給する。
【００３８】
現像ローラ５２は、感光体ドラム２１に接触して設けられ、感光体ドラム２１の帯電極性と同極性であってプラスの現像バイアスが印加される。さらに、現像ローラ５２の近傍には、現像剤帯電装置５７及び電位測定装置５８が設けられている。
【００３９】
現像剤帯電装置５７は、感光体ドラム２１と現像ローラ５２との最接近位置である当接箇所に対して現像ローラ５２の回転方向上流側に、現像ローラ５２表面に対向する形で配置されている。現像剤帯電装置５７は、コロナ放電を用いたスコロトロン帯電装置である。なお、同じくコロナ放電を用いたコロトロン帯電装置であっても構わない。また、現像剤帯電装置５７は、現像ローラ５２表面に接触する帯電ローラを有する、接触ローラ方式の帯電装置であっても構わない。そして、現像剤帯電装置５７は、現像ローラ５２表面の液体現像剤Ｄを直接帯電させる。なお、現像剤帯電装置５７は、感光体ドラム２１と現像ローラ５２との最接近位置である当接箇所に対して現像ローラ５２の回転方向下流側に配置することもできる。
【００４０】
電位測定装置５８は、現像剤帯電装置５７の、現像ローラ回転方向下流側、且つ感光体ドラム２１と現像ローラ５２との当接箇所に対して現像ローラ回転方向上流側に、現像ローラ５２表面に対向する形で配置されている。電位測定装置５８は、現像ローラ５２表面の液体現像剤Ｄの電位を測定することができる。
【００４１】
上記のような現像剤帯電装置５７及び電位測定装置５８に対して、制御装置５９が設けられている。制御装置５９は、電位測定装置５８から現像ローラ５２表面の電位に係る情報を得て、この電位情報に基づいて、現像剤帯電装置５７に指令を送り、その印加電圧を制御することが可能である。
【００４２】
このようにして、現像ローラ５２表面の液体現像剤Ｄ中に分散するトナー粒子は、トナー粒子自体の電位と感光ドラム２１の静電潜像の電位との差により、感光体ドラム２１表面の静電潜像の、露光装置２３によって光減衰された箇所に移動せしめられる。現像ローラ５２は、供給ローラ５５で供給された液体現像剤Ｄにより、感光体ドラム２１表面の静電潜像をトナー像に現像する。
【００４３】
クリーニングブレード６０は、感光体ドラム２１と現像ローラ５２とが当接する箇所に対して、現像ローラ５２の回転方向下流側に設けられている。現像後、現像ローラ５２表面に付着した、現像に使用されなかったトナー粒子を含有する残留液体現像剤Ｄは、クリーニングブレード６０によって掻き取るように除去され、クリーニングされる。この残留液体現像剤Ｄは、その後、図示しないパイプを通して液体現像剤補給装置で回収され、再利用、或いは廃棄される。
【００４４】
次に、現像剤帯電装置５７、電位測定装置５８、及び制御装置５９を使用して、現像ローラ５２表面の液体現像剤Ｄを直接帯電させたときの、現像ローラ５２の表面電位の違いが、画像濃度の変化や画像むら、チリといった画像不良の発生に及ぼす影響について、図３及び図４を用いて説明する。図３は現像剤帯電装置への印加電圧と現像ローラ表面電位との関係を示す表、図４は現像剤帯電装置への印加電圧と画像濃度の変化や画像むら、チリの発生との関係を示す表である。
【００４５】
まず、図３に示すように、現像剤帯電装置５７への印加電圧と、電位測定装置５８から得られる現像ローラ５２の表面電位との関係を調査した。現像ローラ５２の表面電位は、温度１０°Ｃ／湿度１５％と、温度２０°Ｃ／湿度６５％と、温度３２．５°Ｃ／湿度８０％との３種類の温度湿度環境下において、現像剤帯電装置５７への印加電圧を４．２ｋＶから５．８ｋＶまで０．４ｋＶ毎に増加させたときの、その変化を電位測定装置５８にて測定した。図３によると、現像ローラ５２の表面電位は、１２Ｖから１１５Ｖまでの範囲で変化していることがわかる。なお、液体現像剤Ｄのトナー濃度は２５％に保たれている。
【００４６】
このような現像剤帯電装置５７への印加電圧と現像ローラ５２の表面電位との関係を踏まえて、図４に示すように、現像剤帯電装置５７への印加電圧と画像濃度の変化や画像むら、チリの発生との関係を検証した。
【００４７】
なお、画像濃度については、グレタグマクベス（ＧｒｅｔａｇＭａｃｂｅｔｈ）社製反射濃度計スペクトロアイ（ＳｐｅｃｔｒｏＥｙｅ）を用いて測定した。この測定器を用いた場合、通常１．３８以上の数値が得られると良好な濃度と言える。
【００４８】
また、画像むらの発生については、目視にて２段階のランクで評価し、画像むらがほとんど確認できないものを「○」、確認できたものを「×」とした。チリの発生については、目視にて３段階のランクで評価し、チリがほとんど確認できないものを「○」、チリがやや確認できたものを「△」、顕著なチリを確認できたものを「×」とした。
【００４９】
ここで、図４によると、画像濃度については、現像剤帯電装置５７への印加電圧が、高すぎても低すぎても良好な結果を得ることができないことが分かる。すなわち、温度１０°Ｃ／湿度１５％の環境下では印加電圧５．０ｋＶで、温度２０°Ｃ／湿度６５％の環境下では印加電圧５．０〜５．８ｋＶの範囲で、温度３２．５°Ｃ／湿度８０％の環境下では印加電圧４．６〜５．８ｋＶの範囲で、良好な濃度が得られている（図４の二重枠線部）。
【００５０】
画像むらについては、現像剤帯電装置５７への印加電圧が４．２〜５．８ｋＶの範囲で、印加電圧を高めに設定することで、その発生を抑制できていることが分かる。すなわち、温度１０°Ｃ／湿度１５％の環境下では印加電圧５．０ｋＶ以上で、温度２０°Ｃ／湿度６５％及び温度３２．５°Ｃ／湿度８０％の環境下では印加電圧５．４ｋＶ以上で、画像むらの発生を抑制できている。
【００５１】
チリについては、現像剤帯電装置５７への印加電圧が高すぎても低すぎても、その発生を抑制できないことが分かる。すなわち、温度１０°Ｃ／湿度１５％の環境下では印加電圧５．０ｋＶで、温度２０°Ｃ／湿度６５％の環境下では印加電圧５．０〜５．４ｋＶの範囲で、温度３２．５°Ｃ／湿度８０％の環境下では印加電圧５．０〜５．８ｋＶの範囲で、チリの発生を抑制できている。
【００５２】
上記のような画像濃度の変化、画像むら及びチリの発生についての評価を総合すると、現像ローラ５２の表面電位は、図３の二重枠線で囲んだ電位に設定することが有効であることが分かる。すなわち、３種類の温度湿度環境下ではいずれも、制御装置５９を用いて現像剤帯電装置５７の印加電圧を制御し、電位測定装置５８から得られる現像ローラ５２の表面電位が７０〜８０Ｖ程度の範囲になるように調節することが望まれることが分かる。
【００５３】
以上のように、像担持体である感光体ドラム２１表面に形成した静電潜像を、液体現像剤Ｄを用いて現像する現像剤担持体である現像ローラ５２を備えた液体現像装置５０において、感光体ドラム２１と現像ローラ５２との最接近位置の、現像ローラ５２の回転方向上流側に、現像ローラ５２表面に対向して設けられ、現像ローラ５２表面の液体現像剤Ｄを帯電させる現像剤帯電装置５７と、この現像剤帯電装置５７の、現像ローラ５２の回転方向下流側、且つ感光体ドラム２１と現像ローラ５２との最接近位置の、現像ローラ５２の回転方向上流側に、現像ローラ５２表面に対向して設けられ、現像ローラ５２表面の電位を測定する電位測定装置５８と、この電位測定装置５８の測定電位が所定範囲になるように現像剤帯電装置５７を制御する制御装置５９とを備えているので、現像ローラ５２表面を所望の電位に安定させることが可能である。したがって、濃度むらやチリなどといった液体現像剤Ｄの適正範囲から外れた帯電量に起因する画像不良の発生を防止することができる。このようにして、高品質な画像が得られる現像動作を遂行することが可能な液体現像装置５０を提供することができる。
【００５４】
また本発明では、上記液体現像装置５０を画像形成装置１に搭載したので、現像ローラ５２の表面電位を好適な状態に安定させることにより、液体現像剤Ｄの適正範囲から外れた帯電量に起因する画像不良の発生を防止することができ、高品質な画像が得られる現像動作を遂行することが可能な高性能な画像形成装置１を得ることができる。
【００５５】
以上、本発明の実施形態につき説明したが、本発明の範囲はこれに限定されるものではなく、発明の主旨を逸脱しない範囲で種々の変更を加えて実施することができる。
【００５６】
例えば、上記実施形態では、画像形成装置１が、中間転写体として無端状の中間転写ベルト５を備えるカラー印刷用の画像形成装置であるが、中間転写体を用いることのない、ブラックトナーのみを使用したモノクロ印刷用の画像形成装置であっても構わない。
【００５７】
また、上記実施形態で用いた温度、湿度、印加電圧、表面電位、画像濃度などの装置の設置環境や状態、特性に係る数値自体は、実施形態を示す上での一例であるので、本発明の範囲がこれらの数値に限定されるものではない。
【産業上の利用可能性】
【００５８】
本発明は、画像形成装置に適用可能な液体現像装置全般において利用可能である。
【図面の簡単な説明】
【００５９】
【図１】本発明の実施形態に係る液体現像装置を搭載した画像形成装置の模型的垂直断面正面図である。
【図２】図１の画像形成装置の画像形成部周辺を示す垂直断面部分拡大図である。
【図３】現像剤帯電装置への印加電圧と現像ローラの表面電位との関係を示す表である。
【図４】現像剤帯電装置への印加電圧と画像濃度の変化や画像むら、チリの発生との関係を示す表である。
【符号の説明】
【００６０】
１    画像形成装置
５    中間転写ベルト
２０  画像形成部
２１  感光体ドラム（像担持体）
５０  液体現像装置
５２  現像ローラ（現像剤担持体）
５７  現像剤帯電装置
５８  電位測定装置
５９  制御装置
Ｄ    液体現像剤
【図１】
2009294490.tif 000003
【図２】
2009294490.tif 000004
【図３】
2009294490.tif 000005
【図４】
2009294490.tif 000006